(57)【特許請求の範囲】
【請求項１】
電気分解を用いて酸素及び水素を発生させるシステムであって、
水酸化カリウム及び合成ブルーダイヤモンド材を添加した水で満たされた容器と；
複数の非伝導性環と；
バイオソリッドを添加した純水である、電解質溶液と；
複数のディスクであって、前記複数のディスクが複数の陽極ディスク、複数の陰極ディスク、及び複数の中性ディスクを含み、前記複数のディスクは配列が陽極ディスク又は陰極ディスクから開始、終了するように設定配列で配置され、前記複数のディスクが波形金属又は波形非金属で構成され、前記複数のディスクが複数の有孔ディスク、複数のスリット付きディスク及び複数のドーム型ディスクを含み、前記複数の有孔ディスクが陽極ディスクとして用いられ、前記複数のスリット付きディスクが陰極ディスク及び中性ディスクとして用いられ、前記複数のドーム型ディスクが陽極又は陰極又は中性ディスクとして用いられ、前記複数のドーム型ディスクが凹形及び凸形で配置され、前記複数のディスクが腐食防止材で塗布され、前記腐食防止材が２層に塗布され、前記複数の陽極ディスク及び前記複数の陰極ディスクが海塩物質の第１層及びグラファイト又はカーボンナノチューブの第２層で塗布され、前記海塩物質の第１層が、前記グラファイト又はカーボンナノチューブの第２層を前記複数の陽極ディスク及び前記複数の陰極ディスクに塗布する前に、前記複数の陽極ディスク及び前記複数の陰極ディスクに塗布される、複数のディスクと；
陽極フレームと；
陰極フレームと；
複数の非伝導性プラスチックフレームと；を含み、
前記陽極フレーム、前記陰極フレーム及び前記複数の非伝導性プラスチックフレームが前記複数のディスクの周縁部周りに配置され、前記陽極フレーム及び前記陰極フレームが凹部を備え、前記陽極ディスク及び前記陰極ディスクが、前記陽極フレーム及び前記陰極フレームにおける前記凹部を用いて、それぞれ前記陽極ディスク及び前記陰極ディスクを固定するための構造のような複数のフックを備える、システム。
【請求項２】
請求項１に記載のシステムであって、金属が銅ニッケル合金、３１６Ｌステンレス鋼、３４７Ｌステンレス鋼、及び混合金属酸化物（ＭＭＯ）被覆金属からなる群から選択され、前記銅ニッケル合金が７０：３０の重量比で混合された銅及びニッケルを含む、システム。
【請求項３】
請求項１に記載のシステムであって、非金属が粒状グラファイト、グラフェン、カーボンナノチューブ又はナノカーボンリボン、混合金属酸化物（ＭＭＯ）被覆金属、ホウ素ドープ合成ブルーダイヤモンド、合成多結晶ダイヤモンド（ＰＣＤ）、及び多結晶化学蒸着（ＣＶＤ）ダイヤモンドからなる群から選択される、システム。
【請求項４】
請求項１に記載のシステムであって、前記複数の非伝導性プラスチックフレームが高密度ポリエチレン（ＨＤＰＥ）フレームであり、前記複数の非伝導性環がＨＤＰＥ環である、システム。
【請求項５】
請求項１に記載のシステムであって、前記設定配列が第１配列又は第２配列又は第３配列から選択され、前記第１配列が［＋ＮＮＮＮ−ＮＮＮＮ＋  ＮＮＮＮ−ＮＮＮＮ＋］により表され、前記第２配列が［−ＮＮＮＮ＋ＮＮＮＮ−］により表され、前記第３配列が｛［−ＤＶＤＸ  ＤＶＤＸ＋ＤＶＤＸ  ＤＶＤＸ−］又は［＋ＤＶＤＸ  ＤＶＤＸ−ＤＶＤＸ  ＤＶＤＸ＋］又は［＋ＮＮＮＮ］｝により表され、＋が陽極ディスクを表し、−が陰極ディスクを表し、Ｎが中性ディスクを表し、ＤＶが凹状ドーム型ディスクを表し、ＤＸが凸状ドーム型ディスクを表す、システム。
【請求項６】
請求項１に記載のシステムであって、前記陽極フレームが複数の凹部を備えて、前記複数の陽極ディスクを保持及び支持する、システム。
【請求項７】
請求項１に記載のシステムであって、前記陰極フレームが複数の凹部を備えて、前記複数の陰極ディスクを保持及び支持する、システム。
【請求項８】
請求項１に記載のシステムであって、前記複数の非伝導性プラスチックフレームが複数の凹部を備えて、前記複数の中性ディスク又は複数のドーム型ディスクを保持及び支持する、システム。
【請求項９】
請求項１に記載のシステムであって、前記陽極フレーム及び前記陰極フレームが、前記陽極ディスク及び前記陰極ディスクを支持及び保持するように形成された陥凹部を除いて、高密度ポリエチレン（ＨＤＰＥ）被覆で覆われる、システム。
【請求項１０】
請求項１に記載のシステムであって、前記複数のディスクが設定間隔により互いに隔てられるように、前記複数のディスクが前記容器に支持され、前記設定間隔が１／３２インチから１／４インチの範囲内である、システム。
【請求項１１】
請求項１に記載のシステムであって、設定間隔が１／１６インチの範囲内である、システム。
【請求項１２】
請求項１に記載のシステムであって、前記容器が高密度ポリエチレン（ＨＤＰＥ）容器である、システム。
【請求項１３】
請求項１に記載のシステムであって、前記複数の陽極ディスクが、電気が前記複数の陽極ディスクを通過する時に、酸素泡を発生するように設計される、システム。
【請求項１４】
請求項１に記載のシステムであって、前記複数の陰極ディスクが、電気が前記複数の陰極ディスクを通過する時に、水素泡を発生するように設計される、システム。
【請求項１５】
請求項１に記載のシステムであって、バッテリ電源をさらに含み、前記バッテリ電源又は電源装置が前記陽極フレーム及び前記陰極フレームに接続されて、電流を前記陽極ディスク及び前記陰極ディスクに流す、システム。
【請求項１６】
請求項１に記載のシステムであって、前記容器がメタン、水素及び酸素を発生させるため、バイオソリッドで満たされる、システム。
【請求項１７】
請求項１に記載のシステムであって、前記バイオソリッドが下水処理場スラッジの最終段階廃物からなる群から選択され、下水処理場スラッジの最終段階廃物が細菌、藻類及び牛糞の粒子を含み、前記細菌が藻類科に属する、システム。
【請求項１８】
請求項１に記載のシステムであって、
前記容器と接続された複数の延長チューブと；
前記複数の延長チューブに固定された複数の一方向弁と；
上蓋と；
グラフェンフィルタと；
火炎防止器と；
前記複数の延長チューブと接続された複数のホースと、をさらに含むシステム。
【請求項１９】
請求項１に記載のシステムであって、前記システムが病院の感染性廃棄物焼却炉、並びに乗用車、飛行機、船及びロケットシステム用燃料電池に備えられるように形成される、システム。
【請求項２０】
請求項１に記載のシステムであって、電荷を伝導するバリアシステムをさらに含み、前記バリアシステムが前記陽極ディスク及び前記陰極ディスク間に位置するバリアディスクを含み、前記バリアディスクがホウ素を塗布、又は結合、又はドープさせた合成ブルーダイヤモンドディスクであり、前記ホウ素を塗布、又は結合、又はドープさせた合成ブルーダイヤモンドディスクが多孔質であるか、又は前記水に存在するイオンを通す、システム。
【請求項２１】
請求項１に記載のシステムであって、前記陽極フレームが第１孔を備え、前記バッテリ電源の正極端子からの電線を保持するボルト及びナットを受ける、システム。
【請求項２２】
請求項１に記載のシステムであって、前記陰極フレームが第２孔を備え、前記バッテリ電源の負極端子からの電線を保持するボルト及びナットを受ける、システム。
【請求項２３】
請求項１に記載のシステムであって、前記複数のディスクに巻かれたワイヤ又はケーブルをさらに含み、前記ワイヤ又はケーブルが伝導性ホウ素ドープ合成ブルーダイヤモンド、ステンレス鋼、３１６Ｌステンレス鋼、３４７Ｌステンレス鋼、グラファイト、グラフェン、混合金属酸化物（ＭＭＯ）被覆金属、及びカーボンナノチューブからなる群から選択される導体材料で作られ、合成ダイヤモンドで作られた複数のワイヤ又はケーブルが直線的に連結される、システム。
【請求項２４】
請求項１に記載のシステムであって、電気を調節するダイヤモンドトランジスタに連結した避雷器をさらに含み、前記避雷器が前記容器に連結され、前記避雷器が伝導性ダイヤモンドリンク、あるいはナノカーボンチューブ又はナノカーボンリボンが周囲に形成された伝導性ダイヤモンドリンクで形成されるウェブを含み、雷を防ぐためのブレーカ又はヒューズとして作用する、システム。
【請求項２５】
請求項１に記載のシステムであって、避雷器が航空機の外板全体にウェブ状又はネット状で配置されるように形成され、前記避雷器が伝導性ダイヤモンドリンク、あるいはナノカーボンチューブ又はナノカーボンリボンが周囲に形成された伝導性ダイヤモンドリンクで形成されるウェブを含み、伝導性ダイヤモンドリンクで形成された前記ウェブがダイヤモンド調整器又はトランジスタに連結され、伝導性ダイヤモンドリンクで形成された前記ウェブが前記航空機に備えられた酸素水素（ＨＨＯ）発生器に連結され、これにより雷を前記酸素水素（ＨＨＯ）発生器の電源とし、前記雷が前記航空機を損傷するのを防止し、前記雷に前記航空機の外板を移動させ、複数のダイヤモンド放電索により静電放電を放出させる、システム。
【請求項２６】
請求項１に記載のシステムであって、前記陽極ディスク、及び前記陰極ディスクが電気ゲルで覆われ、前記電気ゲルが、混合金属酸化物（ＭＭＯ）又はホウ素ドープダイヤモンド又は導電性材料の何れかを含むシリコーンで作られる、システム。
【請求項２７】
請求項１に記載のシステムであって、前記複数の中性ディスクが伝導性であり、非導体材料ゲルで覆われ、前記非導体材料ゲルが導体材料を含むシリコーンで作られる、システム。
【請求項２８】
請求項１に記載のシステムであって、水１ガロンあたり１／４カップの比率で苛性カリＫＯＨフレークを添加することにより、水酸化カリウムが前記容器中の水に含まれる、システム。
【請求項２９】
請求項１に記載のシステムの作製方法であって、前記陽極ディスク及びフレーム、並びに前記陰極ディスク及びフレームが、印刷材料を用いる電子線誘起蒸着（ＥＢＩＤ）又は直接金属蒸着（ＤＭＤ）の何れかのプロセス、レーザ金属蒸着粉末送給、炭素繊維焼結、及び３次元印刷プロセスを用いて製造され、前記印刷材料がプラスチック、積層板、液体、金属、ダイヤモンド、粉末フィラメント又は１枚の紙からなる群から選択され、前記中性ディスク及び支持フレームが、前記伝導性ディスク及びフレームを支持する一固体片として、前記電動ディスク、及びフレームと同様のプロセスで作製される、システムの作製方法。
【請求項３０】
請求項１に記載のシステムであって、前記陽極ディスク、前記陰極ディスク及び前記中性ディスクがあらかじめ決められた形状の成形ディスクであり、前記あらかじめ決められた形状の成形ディスクが縁又は端及びワイヤを有する平面ディスク、長方形ディスク、正方形ディスク、並びにドーム型プレートからなる群から選択される、システム。
【請求項３１】
請求項１に記載のシステムであって、前記縁付きのドーム型ディスクが前記多結晶化学蒸着（ＣＶＤ）ダイヤモンドで製造され、前記ドーム型ディスクが凹形及び凸形で配置され、前記ドーム型ディスクが設定配列で配置され、前記設定配列が＋（  ）（  ）−又は−（  ）（  ）＋（  ）（  ）−又は＋（  ）（  ）−（  ）（  ）＋又は＋−＋−＋−＋−又は＋（（（（（（（（（（（−からなる群から選択され、凹形で配置される前記ドーム型ディスクが記号「（」で表され、凸形で配置される前記ドーム型ディスクが記号「）」で表され、正に帯電したディスクは、「＋」、負に帯電したディスクは、「−」で表わされるシステム。
【請求項３２】
請求項１に記載のシステムであって、前記システムが自動車又は自律型無人潜水機（ＵＵＶ）、あるいは人工衛星、あるいは無人航空機（ＵＡＶ）の電源として用いられる、システム。
【発明の詳細な説明】
【技術分野】
【０００１】
本明細書の実施形態は概して、ガス反応物を発生させる方法及びシステムに関する。具体的に本明細書の実施形態は、水素及び酸素を生成する方法及びシステムに関する。より具体的に本明細書の実施形態は、電気を用いて水素及び酸素を生成する方法及びシステムに関する。
【背景技術】
【０００２】
自律型無人潜水機（ＵＵＶ）、人工衛星、月面基地、及び無人航空機（ＵＡＶ）のものなど、非エアブリージングエンジン又はモータの最も一般的な電源は、従来のバッテリである。しかしながら、従来のバッテリはエネルギー密度が低いため、多くの望ましい用途のために十分なエネルギー容量を欠いている。塩化チオニルリチウムなど、十分なエネルギー容量を与えることができる種類は少数であり、費用がかさむ。
【０００３】
「ブラウンガス」は、水と同じ割合であるＨ２及びＯ２ガスのモル比２：１の酸水素である。ブラウンガスは、「ＨＨＯガス」とも呼ばれる。ＨＨＯガスは内燃機関の燃料としても使うことができることが見出されている。ＨＨＯ水素発生器から生じるＨＨＯを燃焼機関に導入して、燃焼機関の性能を劇的に改善し、エンジン運転をよりクリーンにする。一般に、水の電気分解によりＨＨＯガスを生じる。電気分解プロセスは電流を蒸留水に付与することを含み、これにより水のＨ２Ｏ結合をＨ２及びＯに分解する。水の水素原子及び酸素原子間の化学結合が非常に強いため、ある種の触媒を水に添加して結合を緩める。ＨＨＯガスを発生させるプロセスで必要な電気が少量であるように、触媒が主に電気分解プロセスで用いられる。
【０００４】
上記を考慮して、水を純粋な水素及び酸素の混合物であるＨＨＯに電気分解するために、電気を効率的に利用するシステム及び方法を提供する必要がある。発生した混合物はガソリンよりもはるかに強力な燃料として使用される。さらに、ＨＨＯガスの生産性を高めるため、ＨＨＯ発生システムを製造する際に適当な材料を用いる必要がある。さらに、より多量のＨＨＯガスを生成するため、ＨＨＯ発生システムに電極（陰極及び陽極）を改善された連続的な方法で設置する必要がある。
【０００５】
上記欠点、不都合及び問題を本明細書で提示する。これらは、以下の明細書を検討し、調査することにより理解されるであろう。
【発明の概要】
【発明が解決しようとする課題】
【０００６】
本明細書の実施形態の最初の目的は、電気を用いることにより液体から反応物ガスを発生させる方法及びシステムを提供することである。
【０００７】
本明細書の実施形態の別の目的は、溶解した液体から触媒を用いて水素及び酸素を発生させる効率的な方法を提供することである。
【０００８】
本明細書の実施形態のさらに別の目的は、反応物ガスを生成する電気消費の少ないＨＨＯ発生システムを提供することである。
【０００９】
本明細書の実施形態のさらに別の目的は、電気分解プロセスにおける電極として作用する複数のディスクを備えたＨＨＯ発生システムを開発することである。
【００１０】
本明細書の実施形態のさらに別の目的は、正及び負電荷を複数のディスクに連続して付与するＨＨＯ発生システムを開発することである。
【００１１】
本明細書の実施形態のさらに別の目的は、化学触媒／電解槽を水素及び酸素を生じるために用いられる液体に添加することにより、ＨＨＯ発生プロセスの効率を増したＨＨＯ発生システムを開発することである。
【００１２】
本明細書の実施形態のさらに別の目的は、透明ダイヤモンドを電極間の絶縁体として使用して、電極により発生した熱を吸収する、ＨＨＯ発生システムを開発することである。
【００１３】
本明細書の実施形態のさらに別の目的は、生じた水素及び酸素ガスを分離するため、不純物ドープ合成ダイヤモンドが電極間のバリアとして作用する、ＨＨＯ発生システムを開発することである。
【００１４】
本明細書の実施形態のさらに別の目的は、改善された連続的な方法で、電極をＨＨＯ発生システムに設置するＨＨＯ発生システムを開発することである。
【００１５】
本明細書の実施形態のさらに別の目的は、バイオソリッドをＨＨＯ発生システムの水電解質溶液に添加することにより、ＨＨＯガスと共にメタンガスを生じるＨＨＯ発生システムを開発することである。
【００１６】
本明細書の実施形態のさらに別の目的は、自動車又は自律型無人潜水機（ＵＵＶ）、あるいは人工衛星、あるいは月面基地、あるいは無人航空機（ＵＡＶ）の電源として使用するＨＨＯ発生システムを開発することである。
【００１７】
本明細書の実施形態のこれら及び他の目的及び利点は、以下の課題を解決するための手段、及び添付図と併せた発明を実施するための形態により容易に明らかとなる。
【課題を解決するための手段】
【００１８】
本明細書の様々な実施形態は、電気分解を用いて酸素及び水素を生じるシステムを提供することである。このシステムは容器、陽極フレーム、陰極フレーム、複数の非伝導性プラスチックフレーム、複数の非伝導性環、電解質溶液及び複数のディスクを含む。電解質溶液はバイオソリッドを添加した純水である。複数のディスクは複数の陽極ディスク、複数の陰極ディスク及び複数のＳディスクを含む。配列は陽極ディスク又は陰極ディスクで開始、終了するように設定配列で複数のディスクを配置する。複数のディスクは金属又は非金属で構成される。
【００１９】
本明細書のある実施形態によれば、容器は水酸化カリウム及び合成ブルーダイヤモンド材を添加した水で満たされる。
【００２０】
本明細書のある実施形態によれば、複数のディスクは複数の有孔ディスク、複数の長スリット付きディスク及び複数のドーム型ディスクを含む。複数の有孔ディスクは陽極ディスクとして用いられる。複数の長スリット付きディスクは陰極ディスクとして用いられる。複数のドーム型ディスクは陽極又は陰極又は中性ディスクとして用いられる。複数のドーム型ディスクは凹形及び凸形で配置される。複数のディスクを腐食防止材で塗布する。腐食防止材は２層で塗布する。複数の陽極ディスク及び複数の陰極ディスクを海塩物質の第１層及びグラファイト又はカーボンナノチューブの第２層で塗布する。複数の陽極ディスク及び複数の陰極ディスクにグラファイト又はカーボンナノチューブの第２層を塗布する前に、海塩物質の第１層を複数の陽極ディスク及び複数の陰極ディスクに塗布する。
【００２１】
本明細書のある実施形態によれば、陽極フレーム、陰極フレーム及び複数の非伝導性プラスチックフレームを、複数のディスクの周縁部周りに配置する。陽極フレーム及び陰極フレームは凹部を備える。陽極ディスク及び陰極ディスクは、陽極フレーム及び陰極フレームの凹部でそれぞれ陽極ディスク及び陰極ディスクを固定するための構造のような複数のフックを備える。
【００２２】
本明細書のある実施形態によれば、金属は銅ニッケル合金、３１６Ｌステンレス鋼、３４７Ｌステンレス鋼、及び混合金属酸化物（ＭＭＯ）被覆金属ディスクからなる群から選択され、金属は銅ニッケル合金であり、銅ニッケル合金ディスクは７０：３０の重量比で混合された銅及びニッケルを含む。
【００２３】
本明細書のある実施形態によれば、非金属は微粒子グラファイト、グラフェン、カーボンナノチューブ又はナノカーボンリボン、ＭＭＯ被覆金属、ホウ素ドープ合成ブルーダイヤモンド、合成多結晶ダイヤモンド（ＰＣＤ）及び多結晶化学蒸着（ＣＶＤ）ダイヤモンドからなる群から選択される。
【００２４】
本明細書のある実施形態によれば、複数の非伝導性プラスチックフレームは高密度ポリエチレン（ＨＤＰＥ）フレームであり、複数の非伝導性環はＨＤＰＥ環である。
【００２５】
本明細書のある実施形態によれば、複数のディスクは複数の有孔ディスク、複数の長スリット付きディスク及び複数のドーム型ディスクを含む。複数の有孔ディスクは陽極ディスクとして用いられ、複数の長スリット付きディスクは陰極ディスクとして用いられる。複数のドーム型ディスクは陽極又は陰極又は中性ディスクとして用いられる。複数のドーム型ディスクは凹形及び凸形で配置される。
【００２６】
本明細書のある実施形態によれば、設定配列は第１配列又は第２配列又は第３配列から選択される。第１配列は［＋ＮＮＮＮ−ＮＮＮＮ＋  ＮＮＮＮ−ＮＮＮＮ＋］により表される。第２配列は［−ＮＮＮＮ＋ＮＮＮＮ−］により表される。第３配列は｛［−ＤＶＤＸ  ＤＶＤＸ＋  ＤＶＤＸ  ＤＶＤＸ−］又は［＋ＤＶＤＸ  ＤＶＤＸ−ＤＶＤＸ  ＤＶＤＸ＋］又は［＋ＮＮＮＮ＋］又は［−ＮＮＮＮ−｝により表される。＋は陽極ディスクを表し、−は陰極ディスクを表し、Ｎは中性を表し、ＤＶは凹状ドーム型ディスクを表し、ＤＸは凸状ドーム型ディスクを表す。
【００２７】
本明細書のある実施形態によれば、陽極フレームは複数の凹部を備えて、複数の陽極ディスクを保持及び支持する。
【００２８】
本明細書のある実施形態によれば、陰極フレームは複数の凹部を備えて、複数の陰極ディスクを保持及び支持する。
【００２９】
本明細書のある実施形態によれば、複数の非伝導性プラスチックフレームは複数の凹部を備えて、複数の中性ディスク又は複数のドーム型ディスク又は複数の陽極ディスク及び中性ディスクを保持及び支持する。
【００３０】
本明細書のある実施形態によれば、陽極フレーム及び陰極フレームは陽極ディスク及び陰極ディスクを支持及び保持するように形成された陥凹部を除いて、ＨＤＰＥ被覆で覆われる。
【００３１】
本明細書のある実施形態によれば、陽極ディスク及び陰極ディスクは、陽極フレーム及び陰極フレームの凹部でそれぞれ陽極ディスク及び陰極ディスクを固定するための構造のような複数のフックを備える。
【００３２】
本明細書のある実施形態によれば、複数のディスクは、複数のディスクが設定間隔により互いに隔てられるように容器に支持され、設定間隔は１／３２インチから１／４インチの範囲内である。
【００３３】
本明細書のある実施形態によれば、設定間隔は１／１６インチの範囲内であることが好ましい。
【００３４】
本明細書のある実施形態によれば、容器はＨＤＰＥ容器である。
【００３５】
本明細書のある実施形態によれば、電気が複数の陽極ディスクを通過するときに酸素泡を発生するように複数の陽極ディスクを設計する。
【００３６】
本明細書のある実施形態によれば、電気が複数の陰極ディスクを通過するときに水素泡を発生するように複数の陰極ディスクを設計する。
【００３７】
本明細書のある実施形態によれば、システムはさらにバッテリ電源を含む。バッテリ電源を陽極フレーム及び陰極フレームに連結して、電流を陽極ディスク及び陰極ディスクに流す。
【００３８】
本明細書のある実施形態によれば、メタン、水素及び酸素を発生させるため、容器をバイオソリッドで満たす。
【００３９】
本明細書のある実施形態によれば、バイオソリッドは下水処理場スラッジの最終段階廃物からなる群から選択される。下水処理場スラッジの最終段階廃物は、細菌、藻類及び牛糞の小粒子を含む。細菌は藻類科に属する。
【００４０】
本明細書のある実施形態によれば、システムは容器に接続した複数の延長チューブ、複数の延長チューブに固定した複数の一方向弁、上蓋、火炎防止器、グラフェンフィルタ、及び複数の延長チューブに接続した複数のホースをさらに含む。
【００４１】
本明細書のある実施形態によれば、システムは病院の感染性廃棄物焼却炉、並びに乗用車、飛行機、船及びロケットシステム用燃料電池に備えられるように形成される。
【００４２】
本明細書のある実施形態によれば、システムは電荷を伝導し、酸素及び水素泡を分離するバリアシステムをさらに含む。バリアシステムは陽極ディスク及び陰極ディスク間に設置されるバリアディスクを含む。バリアディスクはホウ素を塗布、又は結合、又はドープさせた合成ブルーダイヤモンドディスクである。ホウ素を塗布、又は結合、又はドープさせた合成ブルーダイヤモンドディスクは多孔質であるか、又は水に存在するイオンを通す。
【００４３】
本明細書のある実施形態によれば、陽極フレームは第１孔を備え、バッテリ又は電源装置の陽極端子からの電線を保持するボルト及びナットを受ける。
【００４４】
本明細書のある実施形態によれば、陰極フレームは第２孔を備え、バッテリ又は電源装置の陰極端子からの電線を保持するボルト及びナットを受ける。
【００４５】
本明細書のある実施形態によれば、システムは複数のディスクに巻かれたワイヤ／ケーブルをさらに含む。ワイヤ／ケーブルは伝導性ホウ素ドープ合成ブルーダイヤモンド、ステンレス鋼、３１６Ｌステンレス鋼、３４７Ｌステンレス鋼、微粒子グラファイト、グラフェン、ＭＭＯ及びカーボンナノチューブからなる群から選択される導体材料で作られる。合成ダイヤモンドで作られた複数のワイヤ／ケーブルは直線的に連結される。
【００４６】
本明細書のある実施形態によれば、システムは容器に連結した避雷器をさらに含む。避雷器は電気を調節するダイヤモンドトランジスタに連結される。避雷器はウェブ状又はネット状で飛行機／船舶の外板全体に配置される。避雷器は伝導性ダイヤモンドリンク、あるいはナノカーボンチューブ又はナノカーボンリボンが周囲に形成された伝導性ダイヤモンドリンクで形成されるウェブを含み、ダイヤモンドスイッチ又はヒューズ又は回路遮断器として作用し、雷が飛行機／船舶を損傷するのを防止し、雷は飛行機／船舶の複合外板を移動する。
【００４７】
本明細書のある実施形態によれば、伝導性ダイヤモンドリンクで形成したウェブはダイヤモンド調整器又はトランジスタに連結し、その後、伝導性ダイヤモンドリンクで形成したウェブは飛行機／航空機に与えられたＨＨＯ発生器に連結し、これにより雷をＨＨＯ発生器の電源とし、雷が飛行機／船舶を損傷するのを防止し、雷を飛行機／航空機の外板又は複合外板を移動させ、複数のダイヤモンド塗布放電索を通して静電放電を放出する。
【００４８】
本明細書のある実施形態によれば、陽極ディスク、陰極ディスク及び中性ディスクを電気ゲル封止材で塗布して、陽極ディスク及び陰極ディスクを覆う。電気ゲルは、混合金属酸化物（ＭＭＯ）又はホウ素ドープダイヤモンド又は導電性材料を含むシリコーンで作られる。
【００４９】
本明細書のある実施形態によれば、複数の中性ディスクを非導体材料ゲルで塗布して、中性ディスクを覆い、非導体材料ゲルはダイヤモンドなどの非導体材料を含むシリコーンで作られる。
【００５０】
本明細書のある実施形態によれば、容器は水酸化カリウム及び合成ブルーダイヤモンド材を添加した水で満たされる。水１ガロンあたり１／４カップの割合で苛性カリＫＯＨフレークを添加することにより、水酸化カリウムを容器中の水に添加する。
【００５１】
本明細書のある実施形態によれば、システムは透明ダイヤモンドを備え、透明ダイヤモンドを電極間で絶縁体として用いて、電極により発生した熱を吸収する。
【００５２】
本明細書のある実施形態によれば、システムは不純物ドープ合成ダイヤモンドを備える。不純物ドープ合成ダイヤモンドは電極間でバリアとして作用して、生じる水素及び酸素ガスを分離する。
【００５３】
本明細書のある実施形態によれば、複数のディスクを腐食防止材で塗布し、腐食防止材は２層に塗布し、複数のディスクを海塩物質の第１層及びグラファイト又はカーボンナノチューブの第２層で塗布する。
【００５４】
本明細書のある実施形態によれば、陽極ディスク及び陰極ディスクは、印刷材料を用いる電子線誘起蒸着（ＥＢＩＤ）プロセス又は直接金属蒸着（ＤＭＤ）プロセス、レーザ金属蒸着粉末送給、炭素繊維焼結、及び３次元印刷プロセスを用いて製造される。印刷材料は積層板、プラスチック、液体、金属、ダイヤモンド、粉末フィラメント又は１枚の紙からなる群から選択される。非伝導性ディスク及び支持フレームは伝導性ディスク及びフレームを支持する一固体片として、伝導性ディスク及びフレームと類似のプロセスで作製される。
【００５５】
本明細書のある実施形態によれば、複数の陽極ディスク、陰極ディスク及び中性ディスクはあらかじめセットした成形ディスクである。あらかじめセットした成形ディスクは、縁又は端及びワイヤを有する平面ディスク、長方形ディスク、正方形ディスク、及びドーム型プレートからなる群から選択される。
【００５６】
本明細書のある実施形態によれば、縁付きのドーム型ディスクは多結晶化学蒸着（ＣＶＤ）ダイヤモンドで製造される。ドーム型ディスクは凹形及び凸形で配置される。ドーム型ディスクは設定配列で配置し、設定配列は＋（  ）（  ）−又は−（  ）（  ）＋（  ）（  ）−又は＋（  ）（  ）−（  ）（  ）＋又は＋−＋−＋−＋−又は＋（（（（（（（（（（（−からなる群から選択され、凹形で配置されるドーム型ディスクは記号「（」で表し、凸形で配置されるドーム型ディスクは記号「）」で表す。
【００５７】
本明細書のある実施形態によれば、システムは自動車又は自律型無人潜水機（ＵＵＶ）、あるいは人工衛星、あるいは月面基地、あるいは無人航空機（ＵＡＶ）の電源として用いられる。
【００５８】
本明細書のある実施形態によれば、水素及び酸素製造設備を提供する。水素及び酸素製造設備は、電気分解を用いて酸素及び水素（ＨＨＯ）を発生させる複数のシステムを含む。複数のＨＨＯ発生システムを単一の管に連結して、ツリー状構造を構成する。複数のＨＨＯ発生システムは、複数の排出弁により単一のツリー状管にまとまるように形成される。複数のツリー状管は、複数の共通の角管における各共通の角管に直列に連結される。複数のＨＨＯ発生システムから発生するＨＨＯガスを回収するように共通の角管を形成する。共通の角管は特定の角度で傾けられる。共通の角管は、それぞれ複数の水バブラに上端で連結される。回収したＨＨＯガスを共通の水バブラで回収する。共通の水バブラは、グラフェンフィルタを用いて水素ガス及び酸素ガスを分離するように形成される。分離された水素ガス及び酸素ガスは、共通の水バブラに連結した分離槽に収納される。また、ガスは液体水素及び液体酸素として収納されるように形成される。
【００５９】
本明細書のある実施形態によれば、水素及び酸素製造設備を提供する。水素及び酸素製造設備は、電気分解を用いて酸素及び水素（ＨＨＯ）を発生させる複数のシステムを含む。複数のＨＨＯ発生システムを単一の管に連結して、ツリー状構造を構成する。複数のＨＨＯ発生システムは、複数の排出弁により単一のツリー状管にまとまるように形成される。複数のツリー状管は、共通の角管に直列に連結される。複数のＨＨＯ発生システムから発生するＨＨＯガスを回収するように共通の角管を形成する。共通の管は特定の角度で傾けられる。共通の角管は水バブラに上端で連結される。回収したＨＨＯガスを共通の又は２つの水バブラで回収する。共通の（又は２つの）水バブラは水素ガス及び酸素ガスを分離するように形成される。グラフェンフィルタ又は多孔質ダイヤモンド又はグラフェン及び多孔質ダイヤモンド複合混合物フィルタを出口ガス位置用バブラ排出管に用いて、水をバブラから排出せず、ガスのみを排出する。分離された水素ガス及び酸素ガスは、共通の水バブラに連結した分離槽に収納される。また、ガスは液体水素及び液体酸素として収納されるように形成される。
【００６０】
本明細書のある実施形態によれば、水素及び酸素製造設備はねじ付キャップを有する共通の取水管をさらに含む。共通の取水管は、複数のＨＨＯ発生システムに水電解質溶液を供給する入口点として形成される。共通の取水管は水流を制御する一方向弁により角管に連結される。
【００６１】
本明細書のある実施形態によれば、樹状管はそれぞれのＨＨＯ発生器に水を供給する一方向弁を備えた中心管を含む。樹状管は各ＨＨＯ発生器の正電気接続及び負電気接続を含む。
【００６２】
本明細書の実施形態のこれらの及び他の態様は、以下の明細書及び添付図と併せて検討すると、より認識し理解される。しかし、好ましい実施形態及びその多数の具体的詳細を示すが、以下の記述は例示するものであり、限定するものではないことを理解すべきである。本明細書の実施形態の範囲内でその主旨を逸脱することなく多くの変更及び改良を行うことができ、本明細書の実施形態はこのようなすべての改良を含む。
【００６３】
他の目的、特徴及び利点は、以下の好ましい実施形態の記述、及び添付図から当業者に理解されるであろう。
【図面の簡単な説明】
【００６４】
【図１】図１は本明細書のある実施形態のディスクに接続した陽極及び陰極フレームの無いＨＨＯ発生システムの破断図を示す。
【図２】図２は本明細書のある実施形態のそれぞれのディスクに接続した正電気接続及び陰極フレームを有するＨＨＯ発生システムの断面図である。
【図３】図３は本明細書のある実施形態のＨＨＯ発生システムにおける複数の孔を有する陽極ディスクの上面図及び側面図を示す。
【図４】図４は本明細書のある実施形態のＨＨＯ発生システムにおける複数のスリットを有する陰極ディスクの上面図及び側面図を示す。
【図５】図５は本明細書のある実施形態のＨＨＯ発生システムにおけるドーム状中性、陽極又は陰極ディスクの上面図及び側面図を示す。
【図６】図６は本明細書のある実施形態のＨＨＯ発生システムにおけるディスクを保持するためのフレーム構造の斜視図を示す。
【図７】図７は本明細書のある実施形態のＨＨＯ発生システムにおける陰極フレームの側面図及び正面図を示す。
【図８】図８は本明細書のある実施形態のＨＨＯ発生システムにおける陽極フレームの側面図及び正面図を示す。
【図９】図９は本明細書のある実施形態のＨＨＯ発生システムにおける円形環フレームの上面図及び側面図を示す。
【図１０】図１０は本明細書のある実施形態の自動車におけるＨＨＯ発生システムの機能ブロック図を示す。
【図１１】図１１は本明細書のある実施形態の大きな水素及び酸素製造設備の略ブロック図を示す。
【図１２】図１２は本明細書のある実施形態の水素ガス及び酸素ガスを別々に生じるためのバリアを有するＨＨＯ発生システムのブロック図を示す。
【図１３】図１３は本明細書のある実施形態のＨＨＯ発生システムにおいて電気を伝導するように形成される複数のリンクの拡大上面図、側面図及び分解組立図を示す。
【図１４】図１４は本明細書のある実施形態のＨＨＯ発生システムにおける複数のリンクの上面組立図を示す。
【図１５】図１５は本明細書のある実施形態のＨＨＯ発生システムにおける複数の直線リンク及び連結部品の分解組立図を示す。
【図１６】図１６は本明細書のある実施形態のＨＨＯ発生システムにおける直線リンクの組立体の側面図を示す。
【発明を実施するための形態】
【００６５】
本明細書の実施形態のこれらの及び他の態様は、以下の明細書及び添付図と併せて検討すると、より認識し理解される。しかし、好ましい実施形態及びその多数の具体的詳細を示すが、以下の記述は例示するものであり、限定するものではないことを理解すべきである。本明細書の実施形態の範囲内でその主旨を逸脱することなく多くの変更及び改良を行うことができ、本明細書の実施形態はこのようなすべての改良を含む。
【００６６】
以下の詳細な記述において、その部品を形成し、実行することができる具体的な実施形態を例示する添付図に言及する。これらの実施形態は、当業者がこれらの実施形態を実施できるように十分に詳細に記載され、論理的、機械的、及びその他の変更は実施形態の範囲を逸脱することなく行うことができることを理解すべきである。従って、以下の詳細な記述は限定する意味で解釈されるべきではない。
【００６７】
本明細書の様々な実施形態は、電気分解を用いて酸素及び水素を発生させるシステムを提供する。このシステムは容器、陽極フレーム、陰極フレーム、複数の非伝導性プラスチックフレーム、複数の非伝導性環、電解質溶液、及び複数のディスクを含む。電解質溶液はバイオソリッドを添加した純水である。複数のディスクは複数の陽極ディスク、複数の陰極ディスク及び複数の中性ディスクを含む。配列が陽極ディスク又は陰極ディスクで開始終了するように、複数のディスクを設定配列で配置する。複数のディスクは波形金属又は非金属で構成される。
【００６８】
本明細書のある実施形態によれば、容器は水酸化カリウム及び合成ブルーダイヤモンド材が添加された水で満たされる。
【００６９】
本明細書のある実施形態によれば、複数のディスクは複数の有孔ディスク、複数の長スリット付きディスク及び複数のドーム型ディスクを含む。複数の有孔ディスクは陽極ディスクとして用いられる。複数の長スリット付きディスクは陰極ディスクとして用いられる。複数のドーム型ディスクは陽極又は陰極又は中性ディスクとして用いられる。複数のドーム型ディスクは凹形及び凸形で配置される。複数のディスクを腐食防止材で塗布する。腐食防止材は２層に塗布する。複数の陽極ディスク及び複数の陰極ディスクを海塩物質の第１層及びグラファイト又はカーボンナノチューブの第２層で塗布する。複数の陽極ディスク及び複数の陰極ディスクにグラファイト又はカーボンナノチューブの第２層を塗布する前に、海塩物質の第１層を複数の陽極ディスク及び複数の陰極ディスクに塗布する。
【００７０】
本明細書のある実施形態によれば、陽極フレーム、陰極フレーム及び複数の非伝導性プラスチックフレームを、複数のディスクの周縁部周りに配置する。陽極フレーム及び陰極フレームは凹部を備える。陽極ディスク及び陰極ディスクは、陽極フレーム及び陰極フレームの凹部でそれぞれ陽極ディスク及び陰極ディスクを固定するための構造のような複数のフックを備える。
【００７１】
本明細書のある実施形態によれば、金属は銅ニッケル合金、３１６Ｌステンレス鋼、３４７Ｌステンレス鋼、及び混合金属酸化物（ＭＭＯ）被覆金属ディスクからなる群から選択され、金属は銅ニッケル合金であり、銅ニッケル合金ディスクは重量比７０：３０で混合された銅及びニッケルを含む。
【００７２】
本明細書のある実施形態によれば、非金属は微粒子グラファイト、グラフェン、カーボンナノチューブ又はナノカーボンリボン、ＭＭＯ被覆金属、ホウ素ドープ合成ブルーダイヤモンド、合成多結晶ダイヤモンド（ＰＣＤ）、及び多結晶化学蒸着（ＣＶＤ）ダイヤモンドからなる群から選択される。
【００７３】
本明細書のある実施形態によれば、複数の非伝導性プラスチックフレームは高密度ポリエチレン（ＨＤＰＥ）フレームであり、複数の非伝導性環はＨＤＰＥ環である。
【００７４】
本明細書のある実施形態によれば、複数のディスクは複数の有孔ディスク、複数の長スリット付きディスク、及び複数のドーム型ディスクを含む。複数の有孔ディスクは陽極ディスクとして用いられ、複数の長スリット付きディスクは陰極ディスクとして用いられる。複数のドーム型ディスクは陽極又は陰極又は中性ディスクとして用いられる。複数のドーム型ディスクは凹形及び凸形で配置される。
【００７５】
本明細書のある実施形態によれば、設定配列は第１配列又は第２配列又は第３配列から選択される。第１配列は［＋ＮＮＮＮ−ＮＮＮＮ＋  ＮＮＮＮ−ＮＮＮＮ＋］により表される。第２配列は［−ＮＮＮＮ＋ＮＮＮＮ−］により表される。第３配列は｛［−ＤＶＤＸ  ＤＶＤＸ＋  ＤＶＤＸ  ＤＶＤＸ−］又は［＋ＤＶＤＸ  ＤＶＤＸ−ＤＶＤＸ  ＤＶＤＸ＋］又は［＋ＮＮＮＮ＋］又は［−ＮＮＮＮ−｝により表される。＋は陽極ディスクを表し、−は陰極ディスクを表し、Ｎは中性を表し、ＤＶは凹状ドーム型ディスクを表し、ＤＸは凸状ドーム型ディスクを表す。
【００７６】
本明細書のある実施形態によれば、陽極フレームは複数の凹部を備えて、複数の陽極ディスクを保持及び支持する。
【００７７】
本明細書のある実施形態によれば、陰極フレームは複数の凹部を備えて、複数の陰極ディスクを保持及び支持する。
【００７８】
本明細書のある実施形態によれば、複数の非伝導性プラスチックフレームは複数の凹部を備えて、複数の中性ディスク又は複数のドーム型ディスク又は複数の陽極ディスク及び中性ディスクを保持及び支持する。
【００７９】
本明細書のある実施形態によれば、陽極フレーム及び陰極フレームは陽極ディスク及び陰極ディスクを支持及び保持するように形成された陥凹部を除いて、ＨＤＰＥ被覆で覆われる。
【００８０】
本明細書のある実施形態によれば、陽極ディスク及び陰極ディスクは、陽極フレーム及び陰極フレームの凹部でそれぞれ陽極ディスク及び陰極ディスクを固定するための構造のような複数のフックを備える。
【００８１】
本明細書のある実施形態によれば、複数のディスクは、複数のディスクが設定間隔により互いに隔てられるように容器に支持され、設定間隔は１／３２インチから１／４インチの範囲内である。
【００８２】
本明細書のある実施形態によれば、設定間隔は１／１６インチの範囲内であることが好ましい。
【００８３】
本明細書のある実施形態によれば、容器はＨＤＰＥ容器である。
【００８４】
本明細書のある実施形態によれば、電気が複数の陽極ディスクを通過するときに酸素泡を発生するように複数の陽極ディスクを設計する。
【００８５】
本明細書のある実施形態によれば、電気が複数の陰極ディスクを通過するときに水素泡を発生するように複数の陰極ディスクを設計する。
【００８６】
本明細書のある実施形態によれば、システムはさらにバッテリ電源を含む。バッテリ電源を陽極フレーム及び陰極フレームに連結して、電流を陽極ディスク及び陰極ディスクに流す。
【００８７】
本明細書のある実施形態によれば、メタン、水素及び酸素を発生させるため、容器をバイオソリッドで満たす。
【００８８】
本明細書のある実施形態によれば、バイオソリッドは下水処理場スラッジの最終段階廃物からなる群から選択される。下水処理場スラッジの最終段階廃物は、細菌、藻類及び牛糞の小粒子を含む。細菌は藻類科に属する。
【００８９】
本明細書のある実施形態によれば、システムは容器に接続した複数の延長チューブ、複数の延長チューブに固定した複数の一方向弁、上蓋、火炎防止器、グラフェンフィルタ、及び複数の延長チューブに接続した複数のホースをさらに含む。
【００９０】
本明細書のある実施形態によれば、システムは病院の感染性廃棄物焼却炉、並びに乗用車、飛行機、船及びロケットシステム用燃料電池に備えられるように形成される。
【００９１】
本明細書のある実施形態によれば、システムは電荷を伝導し、酸素及び水素泡を分離するバリアシステムをさらに含む。バリアシステムは陽極ディスク及び陰極ディスク間に設置されるバリアディスクを含む。バリアディスクはホウ素を塗布、又は結合、又はドープさせた合成ブルーダイヤモンドディスクである。ホウ素を塗布、又は結合、又はドープさせた合成ブルーダイヤモンドディスクは多孔質であるか、又は水に存在するイオンを通す。
【００９２】
本明細書のある実施形態によれば、陽極フレームは第１孔を備え、バッテリ電源又は電源装置の陽極端子からの電線を保持するナット及びボルトを受ける。
【００９３】
本明細書のある実施形態によれば、陰極フレームは第２孔を備え、バッテリ又は電源装置の陰極端子からの電線を保持するナット及びボルトを受ける。
【００９４】
本明細書のある実施形態によれば、システムは複数のディスクに巻かれたワイヤ／ケーブルをさらに含み、ワイヤ／ケーブルは伝導性ホウ素ドープ合成ブルーダイヤモンド、ステンレス鋼、３１６Ｌステンレス鋼、３４７Ｌステンレス鋼、微粒子グラファイト、グラフェン、ＭＭＯ及びカーボンナノチューブからなる群から選択される導体材料で作られる。合成ダイヤモンドで作られた複数のワイヤ／ケーブルは直線的に連結される。
【００９５】
本明細書のある実施形態によれば、システムは容器に連結した避雷器をさらに含む。避雷器は電気を調節するダイヤモンドトランジスタに連結される。避雷器はウェブ状又はネット状で飛行機／船舶の外板全体に配置される。避雷器は伝導性ダイヤモンドリンク、あるいはナノカーボンチューブ又はナノカーボンリボンが周囲に形成された伝導性ダイヤモンドリンクで形成されるウェブを含み、ダイヤモンドスイッチ又はヒューズ又は回路遮断器として作用し、雷が飛行機／船舶を損傷するのを防止し、雷は飛行機／船舶の複合外板を移動する。
【００９６】
本明細書のある実施形態によれば、伝導性ダイヤモンドリンクで形成したウェブはダイヤモンド調整器又はトランジスタに、及び航空機に与えられたＨＨＯ発生器に連結し、これにより雷をＨＨＯ発生器の電源とし、雷が飛行機／船舶を損傷するのを防止し、雷が飛行機／航空機の外板又は複合外板を移動し、複数のダイヤモンド放電索を通して静電放電を放出する。
【００９７】
本明細書のある実施形態によれば、陽極ディスク、陰極ディスク及び中性ディスクを電気ゲル封止材で塗布して、陽極ディスク及び陰極ディスクを覆う。電気ゲルは、混合金属酸化物（ＭＭＯ）又はホウ素ドープダイヤモンド又は導電性材料を含むシリコーンで作られる。
【００９８】
本明細書のある実施形態によれば、複数の中性ディスクは電気を伝導し、非導体材料ゲルで塗布されて中性ディスクを覆い、非導体材料ゲルは導体材料を含むシリコーンで作られる。
【００９９】
本明細書のある実施形態によれば、容器は水酸化カリウム及び合成ブルーダイヤモンド材を添加した水で満たされる。水１ガロンあたり１／４カップの割合で苛性カリＫＯＨフレークを添加することにより、水酸化カリウムを容器中の水に添加する。
【０１００】
本明細書のある実施形態によれば、システムは透明ダイヤモンドを備え、透明ダイヤモンドを電極間で絶縁体として用いて、電極により発生した熱を吸収する。
【０１０１】
本明細書のある実施形態によれば、システムは不純物ドープ合成ダイヤモンドを備える。不純物ドープ合成ダイヤモンドは電極間のバリアとして作用して、生じる水素及び酸素ガスを分離する。
【０１０２】
本明細書のある実施形態によれば、複数のディスクを腐食防止材で塗布し、腐食防止材は２層に塗布する。複数のディスクを海塩物質の第１層及びグラファイト又はカーボンナノチューブの第２層で塗布する。
【０１０３】
本明細書のある実施形態によれば、陽極ディスク及び陰極ディスクは、印刷材料を用いる電子線誘起蒸着（ＥＢＩＤ）プロセス又は直接金属蒸着（ＤＭＤ）プロセス、粉末送給によるレーザ金属蒸着、炭素繊維焼結、及び３次元印刷プロセスを用いて製造される。印刷材料は積層板、プラスチック、液体、金属、ダイヤモンド、粉末フィラメント又は１枚の紙からなる群から選択される。非伝導性ディスク及び支持フレームは伝導性ディスク及びフレームを支持する一固体片として、伝導性ディスク及びフレームと類似のプロセスで作製される。
【０１０４】
本明細書のある実施形態によれば、複数の陽極ディスク、陰極ディスク及び中性ディスクはあらかじめセットした成形ディスクである。あらかじめセットした成形ディスクは、縁又は端及びワイヤを有する平面ディスク、長方形ディスク、正方形ディスク、及びドーム型プレートからなる群から選択される。
【０１０５】
本明細書のある実施形態によれば、縁付きのドーム型ディスクは多結晶化学蒸着（ＣＶＤ）ダイヤモンドで製造される。ドーム型ディスクは凹形及び凸形で配置される。ドーム型ディスクを設定配列で配置し、設定配列は＋（  ）（  ）−又は−（  ）（  ）＋（  ）（  ）−又は＋（  ）（  ）−（  ）（  ）＋又は＋−＋−＋−＋−又は＋（（（（（（（（（（（−からなる群から選択され、凹形で配置されるドーム型ディスクは記号「（」で表し、凸形で配置されるドーム型ディスクは記号「）」で表す。
【０１０６】
本明細書のある実施形態によれば、システムは自動車又は自律型無人潜水機（ＵＵＶ）、あるいは人工衛星、あるいは月面基地、あるいは無人航空機（ＵＡＶ）の電源として用いられる。
【０１０７】
本明細書のある実施形態によれば、水素及び酸素製造設備を提供する。水素及び酸素製造設備は、電気分解を用いて酸素及び水素（ＨＨＯ）を発生させる複数のシステムを含む。複数のＨＨＯ発生システムは単一の管に連結して、ツリー状構造を構成する。複数のＨＨＯ発生システムは、複数の排出弁により単一のツリー状管にまとまるように形成される。複数のツリー状管は、複数の共通の角管における各共通の角管に直列に連結される。複数のＨＨＯ発生システムから発生するＨＨＯガスを回収するように共通の角管を形成する。共通の角管は特定の角度で傾けられる。共通の角管は、それぞれ複数の水バブラに上端で連結される。回収したＨＨＯガスを共通の水バブラで回収する。共通の水バブラは、グラフェンフィルタを用いて水素ガス及び酸素ガスを分離するように形成される。分離された水素ガス及び酸素ガスは、共通の水バブラに連結した分離槽に収納される。また、ガスは液体水素及び液体酸素として収納されるように形成される。
【０１０８】
本明細書のある実施形態によれば、水素及び酸素製造設備はねじ付キャップを有する共通の取水管をさらに含む。共通の取水管は、複数のＨＨＯ発生システムに水電解質溶液を供給する入口点として形成される。共通の取水管は水流を制御する一方向弁により角管に連結される。２つの共通の角管はそれぞれ水素及び酸素を分離、回収するために形成される。
【０１０９】
本明細書のある実施形態によれば、樹状管はそれぞれのＨＨＯ発生器に水を供給する一方向弁を備えた中心管を含む。樹状管は各ＨＨＯ発生器の正電気接続及び負電気接続を含む。
【０１１０】
本明細書の様々な実施形態は複数の反応物ガス、特に水素及び酸素を発生させるシステム及び方法を提供する。このシステムは電気分解プロセスを採用して、水電解質溶液からＨＨＯガスを発生させる。このシステムは水電解質溶液に複数の電極を含む反応セルである。電極に連結した電源は電流を供給するように形成され、電極を帯電させる。帯電した電極は水電解質溶液と反応して、ＨＨＯガスを生じる。
【０１１１】
図１は本明細書のある実施形態のディスクに接続した陽極及び陰極フレームの無いＨＨＯ発生システムの破断図を示す。図１に関して、ＨＨＯ発生システム１００は水電解質溶液で満たされた反応槽１０１、積み重なった複数のディスク１０２、ディスクに連結する複数のフレーム、及び外部電源を含む。複数のディスク１０２は複数の伝導性ディスク及び非伝導性ディスクを含む。伝導性ディスクは負に帯電した陰極ディスク及び正に帯電した陽極ディスクである。非伝導性ディスクは正に帯電したディスク及び負に帯電したディスク間に位置する。複数のフレームは複数の伝導性フレーム１０３及び１０４、並びにディスクを保持するように形成された複数の支持フレーム１０７及び環１０８を含む。外部電源は伝導性フレーム１０３及び１０４、ＨＨＯガス用排出蓋１０９、及び水（場合により電解質）取入管１１０に連結した。
【０１１２】
図２は本明細書のある実施形態のそれぞれのディスクに接続した正電気接続及び陰極フレームを有するＨＨＯ発生システムの断面図である。電源装置の負電位はＮ接続フレーム１０４の負端子１０５に連結して、フレームに連結したディスクを負に帯電させる。電源装置の正電位はＰ接続フレーム１０３の正端子１０６に連結して、フレームに連結したディスクを正に帯電させる。
【０１１３】
本明細書のある実施形態によれば、システムは筒／容器を備え、内部にディスク及びフレームが配置される。この配置は容器に接続した複数の固定延長部分を用いてある位置に固定される。槽はＨＨＯガスをこのシステムから排出する少なくとも１つのホースをさらに含む。ホース管の開口部は排出蓋１０９で密閉される。蓋及び管開口部を溶融型接着剤、又は熱を互いに付与することにより接着して、密閉を維持する。槽はさらに複数の弁を含み、少なくとも１つの弁を採用して水電解質溶液をＨＨＯ発生システムに供給する。槽は高密度非導体材料、例えば好ましくは高密度ポリエチレン（ＨＤＰＥ）材料、水及び電解質取入管１１０から構成される。
【０１１４】
本明細書のある実施形態によれば、槽はＨＨＯガスを生じる電気分解プロセスにより分解される水電解質溶液で満たされる。純水又は蒸留水を電気分解プロセスの電解質として使用する。純水は化学物質、石炭又はメタンを用いるよりも安全であるため、主に水を用いてＨＨＯを生成する。水は廃棄物及び有毒な副産物を発生すること無く分解される。純水の電気分解は、様々な活性化障壁を克服するために過電圧の形の過剰なエネルギーを必要とする。電気分解の効率は電解質（塩、酸又は塩基など）の添加、及び電極触媒の使用により高められる。触媒はこのプロセスで消費されることなく、化学反応率を変更し高める。硫酸（Ｈ２ＳＯ４）などの強酸、並びに水酸化カリウム（ＫＯＨ）及び水酸化ナトリウム（ＮａＯＨ）などの強塩基はその強い伝導性のため、電解質として用いられることが多い。このプロセスで用いられる電極触媒は導体材料であり、３１６Ｌステンレス鋼、３４７Ｌステンレス鋼、微粒子グラファイト、グラフェン、ナノカーボンチューブ又はナノカーボンリボン、ＭＭＯ被覆金属、ホウ素ドープ合成ブルーダイヤモンド、合成多結晶ダイヤモンド（ＰＣＤ）、多結晶ＣＶＤ（化学蒸着）ダイヤモンドなどに限定されない。導体材料はガス形成用水に電極触媒として粉末形状で用いられる。触媒として好ましくは水酸化カリウム苛性カリＫＯＨフレークを水に添加する。
【０１１５】
ディスクを互いに組み立てて、積み重なったディスク配置を形成する。使用するディスクは縁又は端及びワイヤを有する平面ディスク、長方形ディスク、正方形ディスク、並びにドーム型プレートなどの任意の形状である。複数のディスクは電気分解プロセスで電極として作用する伝導性ディスクを含む。積み重ね配置は伝導性ディスク間に位置する中性伝導性ディスクをさらに含み、ＨＨＯがさらに生じる。積み重ねた配置はディスク配置の周辺に位置する複数のフレームによりさらに補強される。
【０１１６】
伝導性ディスクは高い超伝導体材料で作製され、多量の電流をディスクから水に流す。伝導性ディスクを製造するために用いる材料は、３１６Ｌステンレス鋼、３４７Ｌステンレス、微粒子グラファイト、グラフェン、ナノカーボンチューブ又はナノカーボンリボン、ＭＭＯ被覆金属、ホウ素ドープ合成ブルーダイヤモンド、合成多結晶ダイヤモンド（ＰＣＤ）、多結晶ＣＶＤ（化学蒸着）ダイヤモンドなどの材料が挙げられるが、これに限定されない。
【０１１７】
伝導性ディスクは複数の陰極ディスク及び複数の陽極プレートからなる。外部電源装置は伝導性ディスクに連結し、ディスクを帯電させる。陰極ディスクは負に帯電したディスクであり、陽極ディスクは正に帯電したディスクである。電流が陰極及び陽極ディスクを通過するとき、ディスクは水電解質溶液と反応してＨＨＯガス泡を生じる。ディスクを通る電流はディスク表面に沿って移動する。従って、９０度の平行面に最もよい距離で表面積を広くする。帯電したディスク表面の平行配置はＨＨＯガスを生じるのに最も機能する。ＨＨＯガスを発生させるためにディスクを使用することで生じる課題は、電気分解プロセス中に生じる熱の量、並びに泡を加熱、及び／又は槽／容器を過圧することなく、電解質溶液から反応槽の上部への泡の移動である。伝導性ディスクに形成される孔及びスリットは、泡を上昇させ、槽から出す。ディスク上の溝及び孔は、ディスク及び水の温度を低下させるのをさらに促進する。
【０１１８】
図３は本明細書のある実施形態のＨＨＯ発生システムにおける複数の孔を有する陽極ディスクの上面図及び側面図を示し、図４は本明細書のある実施形態のＨＨＯ発生システムにおける複数のスリットを有する陰極ディスクの上面図及び側面図を示す。有孔ディスク３０２は正に帯電した電極ディスクとして最もよく使用される。従って、陽極ディスク３０１は複数の孔３０２を含む。スリットディスクは負に帯電したディスクとして最もよく使用されるため、陰極ディスク４０１は複数のスリット４０２を含む。有孔ディスク３０１はより大きなかさを有し、水中でより多くの電気を移動させる。ディスクを製造するために最小のオーム測定値を有する材料が用いられ、ディスクにより生じた熱が少ない場合に、ディスクはより多くの電流を引き出す。
【０１１９】
電気分解プロセスはこのプロセスで用いる電極ディスクを腐食する。腐食はさらなる腐食によるさらなる損傷のためのバリアである。従って、伝導性ディスクを非腐食性物質で塗布して、腐食作用を除去し、ディスクの電流伝導性を高める。一例としてディスクの被覆を説明する。伝導性ディスクに用いる金属としては、銅７０％及びニッケル３０％を意味する７０／３０銅／ニッケルである。蒸留水のみを槽で使用する場合には、ディスクの腐食処理は不要である。電気分解用蒸留水と共に電極触媒が用いられるため、ディスクを高い導体材料で塗布する必要がある。被覆を形成するため、海塩を添加した蒸留水の溶液に金属ディスクを設置する。ディスクを所定の期間、例えば３０日間、海塩溶液に浸漬したままにして、結晶塩を７０／３０銅／ニッケルディスクに付着させる。同じ海塩溶液にナノカーボンチューブ又はグラファイト粉末を添加して、新しい溶液を作製する。結晶塩付着により塗布されたディスクを所定の期間、例えば３０日間、新しく形成した溶液に再度浸漬する。ディスクをさらに異なる結晶塩付着で覆う／塗布する。浸漬の第１段階で、海塩がディスクに結合し、これにより第１層の被覆を作製する。ディスクに付着した海塩にグラファイト／ナノカーボンチューブの小粒子をさらに結合することにより、第２保護層を形成して腐食効果を低減させる。ディスクに結合したグラファイトは、ディスク表面の電気の流れをさらに減速し、水からより大量の水素及び酸素を生成する。
【０１２０】
電気分解中、陽極電極が破断するまで腐食することがわかる。つまり、陽極ディスクは混合金属酸化物［ＭＭＯ］陽極被覆で塗布する必要がある。混合金属酸化物［ＭＭＯ］陽極被覆は結晶性導電性被覆であり、陽極ディスクのさび付き及び腐食を防止する。この被覆は伝導性であるため、陽極ディスクは水素及び酸素生成のために完全に機能する。高伝導性の合成ブルーダイヤモンドを被覆材料に混合し、この材料を陽極として使用するべき伝導性ディスクに結合させる。被覆材料は結合材料（１００％メチルシアノアクリレート接着剤であるスーパーグルーなど、又はディスク上で成長させる）により高伝導性ディスクに結合される。
【０１２１】
合成ダイヤモンドは極めて高い導電性及び熱伝導性を有する多結晶ダイヤモンド（ＰＣＤ）である。高伝導性ホウ素ドープ合成ブルーダイヤモンドはステンレス鋼又は銅／ニッケルディスク及びＭＭＯ金属ディスクを置き換えるために顕著に用いられ、陽極として使用される。あるいは、有毒ガスを生じるアルミニウムのような金属ディスクをブルーダイヤモンドで塗布して、有毒ガスの発生を除く。
【０１２２】
本明細書のある実施形態によれば、複数の中性ディスクを正に帯電したディスク及び負に帯電したディスク間に配置する。中性ディスクは主に、ディスク及び水を流れる電気により発生する熱を移動するために用いられ、より多くのＨＨＯガスを生じる。伝導性プレート間に位置する中性ディスクの数は、プレートを通る電流の量に依る。天然ダイヤモンドは完全な非導体材料であるため、非伝導性フレームを製造するために用いられる。天然ダイヤモンドは加熱及び冷却目的のどちらにも用いられる。
【０１２３】
本明細書のある実施形態によれば、複数のディスクは陽極、中性及び陰極ディスクの順に配置される。ディスク間隔の寸法は水素／酸素の生成に重要である。通常用いられる典型的な最小間隔は１／３２’’であり、最大間隔は最大１／４’’であり、最も良い間隔は１／１６’’である。最も優れた性能のため、ディスク材料の厚みはディスク／プレート間の間隔／隙間の幅に等しい。ディスクは柱状に陽極及び陰極ディスクの順に交互に積み上げられ、陽極／陰極ディスクで開始、終了する。陽極及び陰極フレームをそれぞれのディスクにこの順序で連結することにより、電気をディスクに供給する。ディスクの配置を例により説明する。ディスクの配列を表すいくつかの記号を考慮し、正に帯電したディスクは「＋」、負に帯電したディスクは「−」、中性ディスクは「ｎ」として、ディスクの配置は（＋ｎｎｎｎ−ｎｎｎｎ＋ｎｎｎｎ−ｎｎｎｎ＋）又は（−ｎｎｎｎ＋ｎｎｎｎ−ｎｎｎｎ＋ｎｎｎｎ−）となり得る。１２ボルト又は２４（またはさらに高い）ボルトの電源を用いる場合、上記配置のため、各中性プレートは約１．２〜１．４アンペアである必要があり、より多くの中性プレートを加えて電流を１．２〜１．４アンペアに低下させる。縁付きのドームディスクを増幅器に用いる場合、導体材料はより多くの電流を通過させ、これによりディスクあたりより多くのアンペアを通す。
【０１２４】
図５は本明細書のある実施形態のＨＨＯ発生システムにおけるドーム型中性ディスクの上面図及び側面図を示す。縁５０２付きのドームディスク５０１は１３．５ｋＨｚ又はより高い周波数を用いて多結晶ＣＶＤ（化学蒸着）ダイヤモンドで製造される。ドームの偏心方向を有するドームディスク５０１の側面図を表す記号は「（」及び「）」である。従って、ディスク配置の配列は＋（  ）（  ）−又は−（  ）（  ）＋（  ）（  ）−又は＋（  ）（  ）−（  ）（  ）＋又は＋−＋−＋−＋−であり、あるいは（（（（（（（（（（（のような同じ方向のドーム型を有する。
【０１２５】
図６は本明細書のある実施形態のＨＨＯ発生システムにおけるディスクを保持するためのフレーム構造の上面斜視図を示す。フレームは少なくとも２つの伝導フレーム１０４及び１０３を含み、そのうちの少なくとも１つのフレームは陰極ディスクに連結する陰極伝導（Ｎ接続）フレーム１０４、及び１つが陽極ディスクに連結する陽極伝導（Ｐ接続）フレーム１０３である。
【０１２６】
図７は本明細書のある実施形態のＨＨＯ発生システムにおける陰極フレームの側面図及び正面図を示し、図８は本明細書のある実施形態のＨＨＯ発生システムにおける陽極フレームの側面図及び正面図を示す。２つのフレーム１０４及び１０３は槽に満たされた水電解質溶液に槽の外側領域から電気を運ぶ。各環フレームはディスク周囲の間隔の通りに位置する複数の一定間隔の溝７０１を含み、ディスクを１０４、１０３及び１０７の各溝にはめる。伝導性フレーム１０４及び１０３の両方が同じディスクに接続されることはない。フレーム１０４及び１０３の両方の溝７０１は、負に帯電したディスクがＮ接続フレーム１０４の１つの溝７０１にのみ連結し、反対の次の正に帯電したディスクがＰ接続フレーム１０３の１つの溝７０１にのみ連結するように配置される。伝導性フレーム１０４及び１０３は７０％銅及び３０％ニッケルから作製される。フレームを構成するために用いる他の導体材料は、高伝導性ホウ素ドープ合成ブルーダイヤモンド、ステンレス鋼、特に３１６Ｌステンレス鋼、３４７Ｌステンレス鋼、微粒子グラファイト、グラフェン及びＭＭＯが挙げられるがこれに限定されない。電源装置の正電位はＰ接続フレーム１０３の一端で接続端子１０６に連結される。電源装置の負電位はＮ接続フレーム１０４の一端の接続端子１０５に連結される。これらのフレームは複数の非伝導性支持フレーム１０７をさらに含む。このフレームは高密度ポリエチレン（ＨＤＰＥ）材料などの高絶縁材料で作られる。支持フレームは複数の伝導性ディスクを保持するように形成される。支持フレームをディスク配置の周囲に連結して、複数のディスクを包囲する。支持フレームは少なくとも３つの非伝導性環１０８をさらに含む。
【０１２７】
図９は本明細書のある実施形態のＨＨＯ発生システムにおける円環フレームの上面図及び側面図を示す。環１０８を用いて、環の周囲の溝７０１により伝導フレーム及び非伝導フレーム１０７を保持及び支持する。支持環フレーム１０８は非伝導性高密度ポリエチレン（ＨＤＰＥ）材料から構成される。
【０１２８】
伝導性ディスクに連結するフレーム部分を除いて、電気を伝導する各フレームを高密度ポリエチレン（ＨＤＰＥ）などの非導体材料で塗布する。フレーム１０３及び１０４が導電性ディスクに接続する位置は、ＨＤＰＥで塗布されないフレーム部分である。非伝導被覆を伝導フレームに適用して、電流が伝導性フレーム１０３及び１０４からではなく、ディスクから排他的に水に入るようにする。
【０１２９】
図１０は本明細書のある実施形態の自動車におけるＨＨＯ発生システムの機能ブロック図を示す。このシステムのブロック図は乗用車のような自動車、トラック、乗物、及び発電機におけるＨＨＯ発生器１００の配線形態を示す。人が乗物用燃料タンクをＨＨＯで満たすシステムを用いるように、ＨＨＯ発生システム１００はガソリンスタンドでＨＨＯガスを生成するために形成される。好ましくは１５アンペアのヒューズ１００４を用いて、発生器１００への電源装置１００２を制御する。ヒューズ１００４に連結したソレノイド１００３を形成して、オン／オフスイッチ１００５の動作によりバッテリ１００２及びＨＨＯ発生システム１００間の連結を確立する。外部電源装置１００２は伝導性ディスクに連結して、ＨＨＯ発生システム１００のディスクを帯電させる。電源装置の負電位は陰極ディスクに連結して、ディスクを負に帯電させる。電源装置の正電位は陽極ディスクに連結して、ディスクを正に帯電させる。電気を通過させることができるように、ＨＨＯ発生器１００は電解質を含む水で満たされる。弁１００１はＨＨＯ発生器の底に位置し、水電解質溶液を供給する。陰極ディスクは水電解質溶液から水素分子を生じ、陽極ディスクは水電解質溶液から酸素分子を生じる。水素及び酸素ガスは泡形状で反応セルの上部に達する。発生する水素及び酸素の量は水電解質溶液が伝導する総電荷に比例する。ＨＨＯガス泡はＨＨＯ発生器の反応セルのホース１００６を通過し、水バブラ１００８で回収される。水バブラ１００８は水素ガス及び酸素ガス泡を分離するように形成される。回収されたガス泡は、ガスと共に微量の水及び電解質を含有する。さらに、化学物質を用いてＨＨＯガスを浄化するように水バブラ１００８を形成する。水バブラ１００８で回収された水及び電解質は水バブラ１００８及びＨＨＯ発生器１００を連結する弁１００７によりＨＨＯ発生システムに戻る。バブラの使用は火炎防止器、ＨＨＯガスを浄化するためのグラフェンフィルタで置き換えられる。帯電したディスクを含む反応セルに音波パルス及び／又はダイヤモンドチューブマイクロ波を適用して、泡形成を促進し、水素及び酸素の生成量を増加させる。
【０１３０】
本明細書の一実施形態によれば、音波パルスを帯電したディスクを含む円筒／管に添加して、泡形成を促進する。また、ダイヤモンドチューブマイクロ波を用いて、より多くの水素及び酸素を生成する。
【０１３１】
図１１は本明細書のある実施形態の大きな水素及び酸素製造設備の模式図を示す。この製造設備は複数のＨＨＯ発生システムを含み、樹状管１１０５に連結して樹状構造を形成する。複数のＨＨＯ発生システムに存在する複数の排出弁は、単一の樹状管１１０５にまとまるように形成される。複数の樹状管１１０５は共通の角管１１０４に直列に連結される。角管１１０４は複数のＨＨＯ発生器から発生するＨＨＯガスを回収するように形成される。共通の管１１０４は特定の角度で傾いているため、回収されたＨＨＯガスは設備の上部に上がり、共通の水バブラ１１０１で回収される。水素ガス及び酸素ガスを分離するように水バブラ１１０１を形成し、ガスは分離槽に収納される。また、ガスは液体水素及び液体酸素として収納されるように形成される。製造設備はさらにねじ付キャップを有する共通の取水管１１０２を含む。管１１０２は水電解質溶液を複数のＨＨＯ発生システムに供給する入口点である。管１１０２はさらに水を流す一方向弁１１０３を含む。各樹状管１１０５は水をそれぞれのＨＨＯ発生器に供給する一方向弁付きの中心管１１０６を含む。樹状管１１０５はさらに、各ＨＨＯ発生器１１０８のための正電気接続１０３７及び負電気接続を含む。稲妻を避雷器又は放電索（又は土中であれば地面）を通過させた後、複数のＨＨＯ発生器１００を通過させて、ＨＨＯガスの発生を増加させる。図１０はＨＨＯ発生システムの機能ブロック図を示す。このシステムは電源装置として稲妻、オン／オフスイッチ１００５、稲妻を制御する調節器及び／又はトランジスタ１００４及び１００３を含み、両方の電極はＨＨＯ発生器１００の陽極及び陰極に連結される。
【０１３２】
図１２は本明細書のある実施形態の水素ガス及び酸素ガスを別々に生じるためのバリアを有するＨＨＯ発生システムの模式図を示す。酸素ガス及び水素ガスを別々に回収するため、高伝導性ホウ素ドープ合成ダイヤモンドプレートのバリア１２０１を正に帯電したディスク３０１及び負に帯電したディスク４０１間に組み立てる／配置する。バリアを組み立てるために用いる他の導体材料は、高伝導性ホウ素ドープ合成ブルーダイヤモンド材、ステンレス鋼、特に３１６Ｌステンレス鋼、３４７Ｌステンレス鋼、微粒子グラファイト、グラフェン及びＭＭＯが挙げられるが、これに限定されない。バリア１２０１により反応槽を、第１槽部１０１Ａ及び第２槽部１０１Ｂの２つの部分に分離する。電源装置の負端子１０５は第１槽部１０１Ａの複数の負に帯電したディスク４０１に連結され、電源装置の正端子１０６は第２槽部１０１Ｂの複数の正に帯電したディスク３０１に連結される。電流は正に帯電したディスク３０１から水を通って伝わり、バリア１２０１に電気を通す。バリア１２０１はさらに電流を水を通して負に帯電したディスク４０１に伝導する。負に帯電したディスク４０１を備える第１槽部１０１Ａでは水素ガス泡が発生し、正に帯電したディスク３０１を備える第２槽部１０１Ｂでは酸素ガス泡が発生する。反応槽１０１中のバリア１２０１は酸素ガス及び水素ガス泡を完全に分離する。ガスは槽部の上部に達し、２本のホース１０９Ａ及び１０９Ｂにより別々に回収される。
【０１３３】
本明細書のある実施形態によれば、ワイヤ／ケーブルは高強度の合成ダイヤモンドで作られ、高圧電流及びアンペアを伝導することができ、ディスクに巻き付けられる。ワイヤ／ケーブルはダイヤモンドを直線的に結合するカーボンナノチューブで製造される。ワイヤ／ケーブルを組み立てるのに用いられる他の導体材料としては、高伝導性ホウ素ドープ合成ブルーダイヤモンド、ステンレス鋼、特に３１６Ｌステンレス鋼、３４７Ｌステンレス鋼、微粒子グラファイト、グラフェン及びＭＭＯが挙げられるが、これに限定されない。
【０１３４】
図１３は電気を伝導するように形成される複数のリンクの分解図を示し、図１４は本明細書のある実施形態の複数のリンク間の連結パターンを示す模式図を示す。航空機の場合、ワイヤ／ケーブルは伝導性ダイヤモンドリンク１３０１に巻き付けたナノカーボンチューブ／リボン及び／又はグラフェンで作られ、航空機の外被全体にウェブ又はネットのように広げられる。複数の詰め木プラグ１３０２を採用し、水準面を航空機の外被に支持し提供する。伝導性ウェブは雷が航空機を損傷するのを防止し、雷は外側の複合外板表面を移動する。雷はＨＨＯ発生システムの電源装置として用いられる。リンクは地面、大気又は大気圏外で共に接続した伝導性ウェブの形状で配置され、避雷器として作用する。リボン形状で配置される避雷器は、地面、あるいは大気又は大気圏外でＨＨＯ発生システムを形成するため、リボンの長さに沿って水素バルーンと接続される。
【０１３５】
図１５は複数の直線リンクの分解組立図を示し、図１６は本明細書のある実施形態の複数の直線リンク間の連結パターンを示す模式図を示す。ワイヤ／ケーブルはさらに地表から大気圏外の中立軌道における宇宙ステーションまで至るように形成され、ワイヤ／ケーブルのどちらかの一端又は両端は複数のＨＨＯ発生器に接続される。直線リンクは複数の短いリンク１５０２及び複数の長いリンク１５０１を含む。直線リンク１５０１はダウエルピン１５０３により互いに連結する。合成ダイヤモンドリンク１５０１をグラファイトラップと共に用いることで、ワイヤ／ケーブルは地表から大気圏外の中立軌道における宇宙ステーションまで至ることができ、ワイヤ／ケーブルのどちらかの一端又は両端は複数のＨＨＯ発生器に接続される。
【０１３６】
フレーム及びディスクを容器に組み立てた後、フレーム及びディスクを液体窒素／炭素に浸漬し、２アンペアの電気を伝導性フレーム／ワイヤ／ディスク又はプレートに６時間適用する。電気分解プロセスはすべてのタイプの金属及びグラファイトを分解する／穴をあける傾向があるため、表面の被覆はそのプロセスを遅らせるのに役立つ。
【０１３７】
本明細書のある実施形態によれば、ＨＨＯ発生システムはＨＨＯガスと共にメタノールガス（ＣＨ３ＯＨ）を発生させるために選択的に用いられる。触媒プロセスを採用することにより、直接一酸化炭素及び二酸化炭素からメタノールを水素と共に発生させて、メタノールガスを発生させる。藻類は水電解質溶液を含む反応槽に添加される。溶液をより酸性にし、分解するため、溶液を特定の期間、好ましくは１０日間保存し、溶液のＰＨを少なくとも１０にする。分解された藻類はキャビテーション技術を用いる機械／システムに注入される。この機械は藻類を加熱する触媒モータを含み、藻類をさらに分解する。その後、分解された藻類をＨＨＯ発生器に注入して、メタン、酸素及び水素を生じるために動作させる。
【０１３８】
具体的な実施形態の上述の記載は本明細書の実施形態の一般的性質を十分に明らかにし、現在の知識を適用することにより、他の人々が一般的概念を逸脱することなく、様々な用途のために、このような具体的な実施形態を容易に改変及び／又は適合することができる。従って、このような適合及び改変は、開示された実施形態の同等の物の意味及び範囲内に包含されると意図されるべきであり、意図される。
【０１３９】
本明細書で利用される表現又は用語は説明のためのものであり、限定するものではないことを理解すべきである。従って、本明細書の実施形態は好ましい実施形態の観点から記載されているが、当業者は本明細書の実施形態を添付された特許請求の範囲の主旨及び範囲内で改変して実施することができると認識するであろう。
【０１４０】
本明細書の実施形態は様々な具体的な実施形態を用いて記載しているが、当業者が本発明を改変して実施することは明らかである。しかし、このような改変すべては特許請求の範囲内であると考えられる。
【０１４１】
また、以下の特許請求の範囲は、本明細書に記載した実施形態の一般的及び具体的な特徴のすべて、並びに言語の問題として、そこに含まれると考えられる実施形態の範囲の表現すべてを包含すると意図されることを理解すべきである。
【図１】
0006800956.tif 000002
【図２】
0006800956.tif 000003
【図３】
0006800956.tif 000004
【図４】
0006800956.tif 000005
【図５】
0006800956.tif 000006
【図６】
0006800956.tif 000007
【図７】
0006800956.tif 000008
【図８】
0006800956.tif 000009
【図９】
0006800956.tif 000010
【図１０】
0006800956.tif 000011
【図１１】
0006800956.tif 000012
【図１２】
0006800956.tif 000013
【図１３】
0006800956.tif 000014
【図１４】
0006800956.tif 000015
【図１５】
0006800956.tif 000016
【図１６】
0006800956.tif 000017